(57)【要約】【課題】            軟質で剛直性のないエアーフィルタでも弛みなく外観よく保持することができる構成の簡素な低圧損のフィルタ保持装置を得る。【解決手段】        プレフィルタ８を装着する枠構造に対して回動支点部１２により回動可能に支持され、固定部１３により係脱可能に支持される、枠構造の枠内平面を横切る形態の保持枠１０を線状材を曲げて構成し、この保持枠１０によってプレフィルタ８を枠構造の枠内平面に保持させる。また、二個の保持枠１０を枠構造の対向する側にそれぞれ回動支点部１２によって回動可能に支持し、一方の保持枠１０の固定部１３を枠構造に対して係脱可能に固定することにより、他方の保持枠１０が保持される構成とする。【選択図】          図１
2005103356.tif 000002
【特許請求の範囲】
【請求項１】
フィルタを装着する枠構造に対して、この枠構造の枠内平面を横切る形態に支持される保持枠を線状材を曲げて構成し、この保持枠によりエアーフィルタを前記枠構造の枠内平面に保持させたフィルタ保持装置。
【請求項２】
フィルタを装着する枠構造に対して回動支点部により回動可能に支持され、固定部により係脱可能に支持される、前記枠構造の枠内平面を横切る形態の保持枠を線状材を曲げて構成し、この保持枠によってエアーフィルタを前記枠構造の枠内平面に保持させたフィルタ保持装置。
【請求項３】
請求項１又は請求項２に記載のフィルタ保持装置であって、保持枠を、弾性を備えた線状材で構成したフィルタ保持装置。
【請求項４】
請求項２又は請求項３に記載のフィルタ保持装置であって、二個の保持枠を枠構造の対向する側にそれぞれ回動支点部によって回動可能に支持し、一方の保持枠の固定部を前記枠構造に対して係脱可能に固定することにより、他方の保持枠が保持される構成のフィルタ保持装置。
【請求項５】
請求項１〜請求項４までのいずれかに記載のフィルタ保持装置であって、保持枠にフィルタの落下を防ぐ落下防止部材を設けたフィルタ保持装置。
【請求項６】
請求項１〜請求項５までのいずれかに記載のフィルタ保持装置を送風通路に備えた送風装置。
【発明の詳細な説明】
【技術分野】
【０００１】
本発明は、主として軟質で剛直性のないエアーフィルタを保持するフィルタ保持装置及びフィルタ保持装置を備えた送風装置に関するものである。
【背景技術】
【０００２】
エアーフィルタの多くはこれまで、フィルタ枠によって保持されている。軟質で剛直性のないエアーフィルタでは、格子状のフィルタ押えをフィルタ枠に装着し、フィルタ押えでフィルタ枠にエアーフィルタを押えるようにしたものもある。なお、この種の従来技術としては、特許文献１や特許文献２に開示されたものがある。
【０００３】
【特許文献１】特開平１１―６３５９８号公報
【特許文献２】特開２００１―３４１５１７号公報
【発明の開示】
【発明が解決しようとする課題】
【０００４】
従来のフィルタ保持装置は、フィルタを収めるフィルタ枠にフィルタ押えでフィルタを押付けるものであり、構成部材が多いうえ、軟質で剛直性のないエアーフィルタについては、中央に弛みができ外観性が悪いといった問題点がある。格子状のフィルタ押えを備えたものでは、フィルタの弛みは、回避できるものの、圧力損失が大きくなり、送風装置などに適用する場合、能力の大きな送風機を選定しなければならない。
【０００５】
本発明は、上記した問題点を解決するためになされたものであり、その課題とするところは、軟質で剛直性のないエアーフィルタでも弛みなく外観よく保持することができる構成の簡素な低圧損のフィルタ保持装置を得ることであり、そのフィルタ保持装置を備えた送風装置を得ることである。
【課題を解決するための手段】
【０００６】
上記課題を解決するために本発明は、フィルタを装着する枠構造に対して、この枠構造の枠内平面を横切る形態に支持される保持枠を線状材を曲げて構成し、この保持枠によりエアーフィルタを枠構造の枠内平面に保持させる手段を採用する。
【０００７】
上記課題を解決するために他の発明は、フィルタを装着する枠構造に対して、この枠構造の枠内平面を横切る形態に支持される保持枠を線状材を曲げて構成し、この保持枠によりエアーフィルタを枠構造の枠内平面に保持させたフィルタ保持装置を送風通路に備える手段を採用する。
【発明の効果】
【０００８】
上記手段を採用することにより、軟質で剛直性のないエアーフィルタでも弛みなく外観よく保持することができ、簡素な構成で低圧損なものとなる。
【０００９】
上記手段を採用することにより、軟質で剛直性のないエアーフィルタでも弛みなく外観よく保持することができ、簡素な構成で低圧損なものとなり、送風機も大型化しないで済む。
【発明を実施するための最良の形態】
【００１０】
開脚形状に線状材を曲げて構成した大小二個のＶ字形の保持枠を枠構造の対向する側にそれぞれの各脚端に設けた回動支点部によって回動可能に支持し、フィルタ保持装置を構成する。大きい方の保持枠については、各脚の結合部である固定部を枠構造の一側に設けた掛止孔に係脱可能に嵌装着する。小さい方の保持枠については、大きい保持枠によって支えるようにする。二個の保持枠の各脚が枠構造の枠内平面を斜めに横切るようにする。枠構造内に収めた柔軟で剛直性のないエアーフィルタを二個の保持枠で平面を維持した状態で保持する。エアーフィルタの取外しは、脚を広げ固定部を掛止孔から抜け出させ、回動支点部で回動させて二つの保持枠を開くようにして行う。このフィルタ保持装置は、天井面等に沿って水平方向にエアーフィルタを装着する機器に対して、エアーフィルタが弛みなく保持され外観性が良く、好適であるが、垂直方向や斜め方向にエアーフィルタを装着する機器についても有効である。枠構造と保持枠による簡素な構成であり、保持枠は線状材を曲げて作られているので占有面積は極小さく圧力損失は低い。
【００１１】
実施の形態１．
図１は、送風装置としての天井取付型の空気清浄装置の正面パネルを開いた状態の斜視図、図２は同じく正面パネルを外した状態の正面図である。この空気清浄装置は、天井裏の空間に吊り固定され、天井面に沿って設けられた正面パネル１の吸込口２から室内空気を吸込み、再び正面パネル１の吹出口３から室内に戻して室内空気を循環させながらこれを清浄するものである。送風機が組込まれた本体箱体４は、下面の開放した六面体に構成され、その開放部に一側で枢支され、開閉できる正面パネル１が装着されている。本体箱体４の開放部は隔壁５によって二つに区切られている。一方は略正方形をなし、送風機の吸込口に臨み、他方は矩形をなして送風機の吐出口に連絡している。
【００１２】
本体箱体４の開放部は、外方に張出すフランジ部６と、フランジ部６の中央において内方に角筒状に入り込む風洞７とからなる枠構造となっている。略正方形をなす開放部には吸込んだ室内空気を清浄化するエアーフィルタが装着されている。エアーフィルタは、奥側の活性炭フィルタ（図示しない）と手前側のプレフィルタ８の二層で構成されている。もちろん、高性能フィルタ等を加えた三層構成や多層構成を採ることもある。活性炭フィルタは、自体で平板態を保持できる剛直性があり、風洞７内に風洞７を横断する状態に係止構造により係脱可能に装着されている。
【００１３】
プレフィルタ８は、柔軟で剛直性がなく自体で平板態を保持できないためフィルタ保持装置９によって、活性炭フィルタに沿って保持されている。フィルタ保持装置９は、開脚形状に線状材を曲げて構成された大小二個のＶ字形の保持枠１０が枠構造の風洞７の対向する側にそれぞれの各脚１１端に設けられた回動支点部１２によって回動可能に支持された構成である。大きい方の保持枠１０は、各脚１１の結合部である固定部１３が風洞７の一側に設けた掛止孔１４に係脱可能に嵌め装着されている。小さい方の保持枠１０は、大きい保持枠１０によって受け支えられていて、その各脚１１の結合部には、プレフィルタ８を外したときプレフィルタ８の落下を防止する落下防止部材としての面ファスナー１５が付けられている。大小二個の保持枠１０の各脚１１が枠構造の枠内平面を斜めに横切るようになっている。枠構造内に収めたプレフィルタ８は、この二個の保持枠１０で平面を維持した状態で保持されている。プレフィルタ８の取外しは、大きい方の保持枠１０の脚１１を広げ固定部１３を掛止孔１４から抜け出させ、回動支点部１２で回動させ、小さい方の保持枠１０も回動支点部１２で回動させて、二つの保持枠１０を観音開き状に開いて行うことができる。
【００１４】
このフィルタ保持装置９は、このように天井面等に沿って水平方向にプレフィルタ８を装着する送風装置に対して、プレフィルタ８が自重で弛むことなく外観性が良く保持でき、好適であるが、垂直方向や斜め方向にプレフィルタ８を装着する送風装置についても有効である。そして、枠構造と保持枠１０による簡素な構成であり、保持枠１０は線状材を曲げて作られているので占有面積は極小さく圧力損失が低く、送風性能を低下させない。保持枠１０を構成する線状材については、バネ材等の弾性材を使うことでプレフィルタ８を弾性力で活性炭フィルタに密接するように付勢した状態で保持することができる。
【００１５】
実施の形態２．
本実施の形態も、実施の形態１と同様、天井取付型の空気清浄装置に関するものである。フィルタ保持装置の保持枠に係る構成以外は、実施の形態１のものと同じである。従って、実施の形態１のものと同じ部分については、実施の形態１のものと同じ符号を用いそれらについての説明は省略する。
【００１６】
図３は本実施の形態の空気清浄装置の正面パネル１を取外して示す斜視図であり、図４は同じく正面パネル１を取外して示す正面図である。図面からも分かるように、この空気清浄装置のフィルタ保持装置９は、角形に線状材を曲げて構成された一個の保持枠１０が枠構造の風洞７の一側に、二つの自由端に設けられた回動支点部１２によって回動可能に支持された構成である。保持枠１０の回動支点部１２の反対側の縦要素１６には、その中央部に固定部１３が設けられ、風洞７の一側に設けた掛止孔１４に係脱可能に嵌め装着されている。この保持枠１０は、二個の横要素１７が枠構造の枠内平面を横断し、一個の縦要素１６が枠内平面を縦断するようになっている。枠構造内に収められたプレフィルタ８は、保持枠１０で平面を維持した状態で保持されている。プレフィルタ８の取外しは、保持枠１０を広げ固定部１３を掛止孔１４から抜け出させ、回動支点部１２で回動させて行うことができる。これ以外の構成は実施の形態１と同じである。そして、機能も保持枠１０が一つであり、構成が簡素であること以外は実施の形態１のものと同じである。
【００１７】
実施の形態３．
本実施の形態も、実施の形態１と同様、天井取付型の空気清浄装置に関するものである。フィルタ保持装置の保持枠に係る構成以外は、実施の形態１のものと同じである。従って、実施の形態１のものと同じ部分については、実施の形態１のものと同じ符号を用いそれらについての説明は省略する。
【００１８】
図５は本実施の形態の空気清浄装置の正面パネル１を取外して示す斜視図であり、図６は同じく正面パネル１を取外して示す正面図である。図面からも分かるように、この空気清浄装置のフィルタ保持装置９は、線状材を曲げてＶ字状に構成された一個の保持枠１０が枠構造の風洞７の一側に、二つの脚１１の自由端に設けられた回動支点部１２によって回動可能に支持された構成である。二本の脚１１の結合部である固定部１３が風洞７の一側に設けた掛止孔１４に係脱可能に嵌め装着されている。この保持枠１０は、一個の保持枠１０の各脚１１が枠構造の枠内平面を斜めに横断するようになっている。枠構造内に収められたプレフィルタ８は、保持枠１０で平面を維持した状態で保持されている。プレフィルタ８の取外しは、保持枠１０を広げ固定部１３を掛止孔１４から抜け出させ、回動支点部１２で回動させて行うことができる。これ以外の構成は実施の形態１と同じである。そして、機能も保持枠１０が一つであり、構成が簡素であること以外は実施の形態１のものと同じである。
【００１９】
実施の形態４．
本実施の形態も、実施の形態１と同様、天井取付型の空気清浄装置に関するものである。フィルタ保持装置の保持枠に係る構成以外は、実施の形態１のものと同じである。従って、実施の形態１のものと同じ部分については、実施の形態１のものと同じ符号を用いそれらについての説明は省略する。
【００２０】
図７は本実施の形態の空気清浄装置の正面パネル１を取外して示す斜視図であり、図８は同じく正面パネル１を取外して示す正面図である。図面からも分かるように、この空気清浄装置のフィルタ保持装置９は、線状材を曲げてＷ字状に構成された一個の保持枠１０が枠構造の風洞７の一側に、長い二つの脚１１の自由端に設けられた回動支点部１２によって回動可能に支持された構成である。長い脚１１と短い脚１８の二ヶ所の結合部が固定部１３として風洞７の一側に設けた掛止孔１４に係脱可能に嵌め装着されている。この保持枠１０は、一個の保持枠１０の長短４本の脚１１，１８が枠構造の枠内平面を斜めに横断するようになっている。枠構造内に収められたプレフィルタ８は、保持枠１０で平面を維持した状態で保持されている。プレフィルタ８の取外しは、保持枠１０を広げ固定部１３を掛止孔１４から抜け出させ、回動支点部１２で回動させて行うことができる。これ以外の構成は実施の形態１と同じである。そして、機能も保持枠１０が一つであり、構成が簡素であることと、固定部１３が二ヶ所で安定性があること以外は実施の形態１のものと同じである。
【００２１】
実施の形態５．
本実施の形態は、実施の形態１〜４で示したフィルタ保持装置を送風機としての熱交換換気装置に適用したものである。フィルタ保持装置自体の構成は実施の形態１〜４で示したものと同じである。従って、実施の形態１〜４のものと同じ部分については、それらと同じ符号を用いその説明は省略する。
【００２２】
図９は本実施の形態の熱交換換気装置の断面構成図である。この熱交換換気装置は、空気対空気での熱交換を行う熱交換器１９が六面体の箱型に構成されたケーシング２０内に組込まれ、熱交換を行いながら同時給排気により室内の換気を行うものであり、室内の状態量の変動の少ない換気を実施することができる。この熱交換換気装置には、経路の一部が熱交換器１９の一方の流体通路で構成され、給気送風機２１により室外から室内へ向う空気流を通す給気通風路と、経路の一部が熱交換器１９の他方の流体通路で構成され、排気送風機２２により室内から室外へ向う空気流を通す排気通風路とが全経路にわたり独立して構成されている。
【００２３】
熱交換器１９は、積層型で六面体の柱状に構成され、給気通風路側の流体通路の入口側と排気通風路側の流体通路の入口側にフィルタ保持装置９が装着され、それぞれプレフィルタ８が装着されている。フィルタ保持装置９は、その保持枠１０が線状材を曲げて作られているので占有面積は極小さく圧力損失が低く、送風性能を低下させない。
【図面の簡単な説明】
【００２４】
【図１】空気清浄装置を示す斜視図である。（実施の形態１）
【図２】空気清浄装置を示す正面図である。（実施の形態１）
【図３】空気清浄装置を示す斜視図である。（実施の形態２）
【図４】空気清浄装置を示す正面図である。（実施の形態２）
【図５】空気清浄装置を示す斜視図である。（実施の形態３）
【図６】空気清浄装置を示す正面図である。（実施の形態３）
【図７】空気清浄装置を示す斜視図である。（実施の形態４）
【図８】空気清浄装置を示す正面図である。（実施の形態４）
【図９】熱交換換気装置の断面構成図である。（実施の形態５）
【符号の説明】
【００２５】
７  風洞、  ８  プレフィルタ、  ９  フィルタ保持装置、  １０  保持枠、  １１  脚、  １２  回動支点部、  １３  固定部、  １４  掛止孔、  １５  面ファスナー。
【図１】
2005103356.tif 000003
【図２】
2005103356.tif 000004
【図３】
2005103356.tif 000005
【図４】
2005103356.tif 000006
【図５】
2005103356.tif 000007
【図６】
2005103356.tif 000008
【図７】
2005103356.tif 000009
【図８】
2005103356.tif 000010
【図９】
2005103356.tif 000011